(57)【特許請求の範囲】
【請求項１】
直流発電電力を交流電力に変換するインバータ及び前記インバータの出力から高調波成分を除去するＬＣフィルタを備え、系統電源が所定電圧以下に低下すると自立系統に給電可能に構成されている分散型電源の自立運転制御装置であって、前記インバータの出力電流ｉｉｎｖと前記ＬＣフィルタの出力電圧ｅｓｄに基づいて前記自立系統に供給される負荷電流ｉＬｏａｄを推定する負荷電流推定部を備え、前記出力電圧ｅｓｄと前記負荷電流ｉＬｏａｄに基づいて前記インバータから目標電圧ｅ＊ｓｄが出力されるようにフィードバック制御する分散型電源の自立運転制御装置。
【請求項２】
前記出力電圧ｅｓｄを所定の目標電圧ｅ＊ｓｄに維持するように前記インバータの目標電流ｉ＊ｉｎｖをフィードバック制御する電圧制御部と、前記目標電流ｉ＊ｉｎｖと前記出力電流ｉｉｎｖと前記負荷電流ｉＬｏａｄに基づいて前記インバータから前記目標電圧ｅ＊ｓｄが出力されるように前記インバータのデューティ比ｕ＊ｄをフィードバック制御する電流制御部を備えている請求項１記載の分散型電源の自立運転制御装置。
【請求項３】
前記負荷電流推定部は、前記出力電流ｉｉｎｖと前記出力電圧ｅｓｄに基づいて前記ＬＣフィルタのコンデンサに流れる分岐電流ｉｃを推定し、前記出力電流ｉｉｎｖから前記分岐電流ｉｃを減算することにより前記負荷電流ｉＬｏａｄを算出するように構成されている請求項１または２記載の分散型電源の自立運転制御装置。
【請求項４】
直流発電電力を交流電力に変換するインバータ及び前記インバータの出力から高調波成分を除去するＬＣフィルタを備え、請求項１から３の何れかに記載の分散型電源の自立運転制御装置により前記インバータの出力電圧が制御されるように構成されているパワーコンディショナ。
【請求項５】
直流発電電力を交流電力に変換するインバータ及び前記インバータの出力から高調波成分を除去するＬＣフィルタを備え、系統電源が所定電圧以下に低下すると自立系統に給電可能に構成されている分散型電源の自立運転制御方法であって、前記インバータの出力電流ｉｉｎｖと前記ＬＣフィルタの出力電圧ｅｓｄに基づいて前記自立系統に供給される負荷電流ｉＬｏａｄを推定し、前記出力電圧ｅｓｄと前記負荷電流ｉＬｏａｄに基づいて前記インバータから目標電圧ｅ＊ｓｄが出力されるようにフィードバック制御する分散型電源の自立運転制御方法。
【請求項６】
前記出力電圧ｅｓｄを所定の目標電圧ｅ＊ｓｄに維持するように前記インバータの目標電流ｉ＊ｉｎｖをフィードバック制御する電圧制御ステップと、前記出力電流ｉｉｎｖと前記出力電圧ｅｓｄに基づいて前記自立系統に供給される負荷電流ｉＬｏａｄを推定する負荷電流推定ステップと、前記目標電流ｉ＊ｉｎｖと前記出力電流ｉｉｎｖと前記負荷電流ｉＬｏａｄに基づいて前記インバータから前記目標電圧ｅ＊ｓｄが出力されるように前記インバータのデューティ比ｕ＊ｄをフィードバック制御する電流制御ステップを備えている請求項５記載の分散型電源の自立運転制御方法。
【請求項７】
前記負荷電流ｉＬｏａｄは、前記出力電流ｉｉｎｖと前記出力電圧ｅｓｄに基づいて前記ＬＣフィルタのコンデンサに流れる分岐電流ｉｃを推定し、前記出力電流ｉｉｎｖから前記分岐電流ｉｃを減算することにより推定される請求項５または６記載の分散型電源の自立運転制御方法。
【発明の詳細な説明】
【技術分野】
【０００１】
本発明は、分散型電源の自立運転制御装置、パワーコンディショナ及び分散型電源の自立運転制御方法に関し、特に直流発電電力を交流電力に変換するインバータ及びインバータの出力から高調波成分を除去するＬＣフィルタを備え、系統電源が所定電圧以下に低下すると自立系統に給電可能に構成されている分散型電源の自立運転制御装置、当該自立運転制御装置が組み込まれているパワーコンディショナ及び分散型電源の自立運転制御方法に関する。
【背景技術】
【０００２】
太陽電池や燃料電池等の分散型電源は、系統電力に連系させて使用するために、周波数や電圧を電力系統に適合するように交流電力に変換するパワーコンディショナを備えている。
【０００３】
パワーコンディショナは、分散型電源で発電された直流電圧を所定の直流電圧値に調整するＤＣ／ＤＣコンバータと、ＤＣ／ＤＣコンバータから出力される直流電力を交流電力に変換するインバータと、インバータの出力から高周波成分を除去するＬＣフィルタ等を備えている。
【０００４】
分散型電源が系統連系を行なっている配電線に地絡または短絡事故が発生し、或いは計画停電等によって変電所から配電線への電力の送電が停止した状態、即ち単独運転状態に至った場合に、区分開閉器の動作への影響防止及び配電線の作業の安全性を確保するために分散電源の制御装置によって当該配電線から分散型電源が解列される。
【０００５】
そして、分散電源の制御装置によって系統電源から切り離された自立系統、或いは系統電源とは連系することなく独立した自立系統にパワーコンディショナから交流電力が給電制御される。
【０００６】
分散電源の制御装置には、系統連系時に系統電圧の位相に同期した交流電流がインバータから出力されるようにインバータを制御する電流制御ブロックと、解列時に自立系統に法定された所定レベルの電圧が出力されるようにインバータを制御する電圧制御ブロックを備えている。法定された所定レベルの電圧とは、電気事業法第２６条及び同法施行規則第４４条に規定され、低圧需要家に向けて、標準電圧１００Ｖに対して１０１±６Ｖ、標準電圧２００Ｖに対して２０２±２０Ｖ以内の電圧をいう。
【０００７】
特許文献１には、負荷変動に伴い生じるインバータ装置の出力電圧の変動を所定の許容範囲内に抑制するための分散電源用のインバータ装置が開示されている。
【０００８】
当該インバータ装置は、負荷電流の検出に基づいてインバータ出力電圧が許容範囲内となるように段階的な切り替えで出力電圧設定値を判定する第１の判定回路と、負荷電圧の検出に基づいてインバータ出力電圧が許容範囲内となるように段階的な切り替えで出力電圧設定値を判定する第２の判定回路を有し、系統連系時、第１の判定回路で負荷電流の検出により出力電圧設定値を更新し、系統停電の発生時から連系スイッチの遮断まで前記出力電圧設定値を保持した待機状態とし、連系スイッチの遮断時以降、第２の判定回路で負荷電圧の検出により出力電圧設定値を更新する待機状態とし、電流制御モードから電圧制御モードへの制御切り替え後、負荷電流の検出による出力電圧設定値に基づく出力電圧指令を送出する第１の判定回路から、負荷電圧の検出による出力電圧設定値に基づく出力電圧指令を送出する第２の判定回路へ切り替えるようにした電圧制御回路を備えている。
【０００９】
特許文献２には、自立系統に接続された負荷に発生する突入電流を抑制して安定した自立運転を確保するために、自立系統に接続した負荷による突入電流を予め定められた電流値より小さくなるように制限する電流抑制回路を備えたパワーコンディショナが開示されている。
【先行技術文献】
【特許文献】
【００１０】
【特許文献１】特開２０１２−１２０２８５号公報
【特許文献２】特開平１０−３１３５４０号公報
【発明の概要】
【発明が解決しようとする課題】
【００１１】
しかし、特許文献１に開示された分散電源用のインバータ装置は、負荷電流を測定するための専用の負荷電流センサを設ける必要があり、電流センサの周辺回路を含めて部品コストや施工コストが嵩むという問題があった。
【００１２】
また、特許文献２に開示されたパワーコンディショナも、突入電流を抑制するための専用の電流抑制回路を備え、当該電流抑制回路に対応した複雑な制御アルゴリズムを組込む必要があり、部品コストが嵩むという問題があった。
【００１３】
本発明の目的は、上述した問題点に鑑み、負荷電流を検出するためのセンサを備えることなく、また突入電流が生じるような状況でも特段の部品を設けることなく安定した出力電圧に制御可能な分散型電源の自立運転制御装置、パワーコンディショナ及び分散型電源の自立運転制御方法を提供する点にある。
【課題を解決するための手段】
【００１４】
上述の目的を達成するため、本発明による分散型電源の自立運転制御装置の第一の特徴構成は、特許請求の範囲の書類の請求項１に記載した通り、直流発電電力を交流電力に変換するインバータ及び前記インバータの出力から高調波成分を除去するＬＣフィルタを備え、系統電源が所定電圧以下に低下すると自立系統に給電可能に構成されている分散型電源の自立運転制御装置であって、前記インバータの出力電流ｉｉｎｖと前記ＬＣフィルタの出力電圧ｅｓｄに基づいて前記自立系統に供給される負荷電流ｉＬｏａｄを推定する負荷電流推定部を備え、前記出力電圧ｅｓｄと前記負荷電流ｉＬｏａｄに基づいて前記インバータから目標電圧ｅ＊ｓｄが出力されるようにフィードバック制御する点にある。
【００１５】
自立運転制御装置は、系統電源が所定電圧以下に低下すると解列して、自立系統に所定電圧範囲の交流電圧を出力するべく、負荷電流推定部によってインバータの出力電流ｉｉｎｖとＬＣフィルタの出力電圧ｅｓｄを検出し、それら検出値に基づいて自立系統に供給される負荷電流ｉＬｏａｄを推定し、検出した出力電圧ｅｓｄと推定した負荷電流ｉＬｏａｄに基づいてインバータから目標電圧ｅ＊ｓｄが出力されるように制御するので、負荷電流を検出するための電流センサを備える必要が無く、そのための部品コストを低減できるようになる。
【００１６】
同第二の特徴構成は、同請求項２に記載した通り、上述の第一の特徴構成に加えて、前記出力電圧ｅｓｄを所定の目標電圧ｅ＊ｓｄに維持するように前記インバータの目標電流ｉ＊ｉｎｖをフィードバック制御する電圧制御部と、前記目標電流ｉ＊ｉｎｖと前記出力電流ｉｉｎｖと前記負荷電流ｉＬｏａｄに基づいて前記インバータから前記目標電圧ｅ＊ｓｄが出力されるように前記インバータのデューティ比ｕ＊ｄをフィードバック制御する電流制御部を備えている点にある。
【００１７】
電圧制御部によって出力電圧ｅｓｄを目標電圧ｅ＊ｓｄに維持するためインバータの目標電流ｉ＊ｉｎｖが、例えばＰＩＤ制御によって算出されて電流制御部に入力され、電流制御部によって目標電流ｉ＊ｉｎｖと出力電流ｉｉｎｖと負荷電流ｉＬｏａｄに基づいてインバータから目標電圧ｅ＊ｓｄが出力されるように、例えばＰＩＤ制御によってインバータのデューティ比ｕ＊ｄが算出され、当該デューティ比ｕ＊ｄでインバータが制御されることにより、自立系統に接続された負荷に流れる電流が変動するような場合でも、安定した出力電圧ｅｓｄに制御される。
【００１８】
同第三の特徴構成は、同請求項３に記載した通り、上述の第一または第二の特徴構成に加えて、前記負荷電流推定部は、前記出力電流ｉｉｎｖと前記出力電圧ｅｓｄに基づいて前記ＬＣフィルタのコンデンサに流れる分岐電流ｉｃを推定し、前記出力電流ｉｉｎｖから前記分岐電流ｉｃを減算することにより前記負荷電流ｉＬｏａｄを算出するように構成されている点にある。
【００１９】
インバータの出力電流ｉｉｎｖとＬＣフィルタの出力電圧ｅｓｄに基づいてＬＣフィルタのコンデンサに流れる分岐電流ｉｃが推定され、出力電流ｉｉｎｖから分岐電流ｉｃが減算されて負荷電流ｉＬｏａｄが算出される。
【００２０】
本発明によるパワーコンディショナの特徴構成は、直流発電電力を交流電力に変換するインバータ及び前記インバータの出力から高調波成分を除去するＬＣフィルタを備え、上述した第一から第三の何れかの特徴構成を備えた分散型電源の自立運転制御装置により前記インバータの出力電圧が制御されるように構成されている点にある。
【００２１】
本発明による分散型電源の自立運転制御方法の第一の特徴構成は、同請求項５に記載した通り、直流発電電力を交流電力に変換するインバータ及び前記インバータの出力から高調波成分を除去するＬＣフィルタを備え、系統電源が所定電圧以下に低下すると自立系統に給電可能に構成されている分散型電源の自立運転制御方法であって、前記インバータの出力電流ｉｉｎｖと前記ＬＣフィルタの出力電圧ｅｓｄに基づいて前記自立系統に供給される負荷電流ｉＬｏａｄを推定し、前記出力電圧ｅｓｄと前記負荷電流ｉＬｏａｄに基づいて前記インバータから目標電圧ｅ＊ｓｄが出力されるようにフィードバック制御する点にある。
【００２２】
同第二の特徴構成は、同請求項６に記載した通り、上述した第一の特徴構成に加えて、前記出力電圧ｅｓｄを所定の目標電圧ｅ＊ｓｄに維持するように前記インバータの目標電流ｉ＊ｉｎｖをフィードバック制御する電圧制御ステップと、前記出力電流ｉｉｎｖと前記出力電圧ｅｓｄに基づいて前記自立系統に供給される負荷電流ｉＬｏａｄを推定する負荷電流推定ステップと、前記目標電流ｉ＊ｉｎｖと前記出力電流ｉｉｎｖと前記負荷電流ｉＬｏａｄに基づいて前記インバータから前記目標電圧ｅ＊ｓｄが出力されるように前記インバータのデューティ比ｕ＊ｄをフィードバック制御する電流制御ステップを備えている点にある。
【００２３】
同第三の特徴構成は、同請求項７に記載した通り、上述の第一または第二の特徴構成に加えて、前記負荷電流ｉＬｏａｄは、前記出力電流ｉｉｎｖと前記出力電圧ｅｓｄに基づいて前記ＬＣフィルタのコンデンサに流れる分岐電流ｉｃを推定し、前記出力電流ｉｉｎｖから前記分岐電流ｉｃを減算することにより推定される点にある。
【発明の効果】
【００２４】
以上説明した通り、本発明によれば、負荷電流を検出するためのセンサを備えることなく、また突入電流が生じるような状況でも特段の部品を設けることなく安定した出力電圧に制御可能な分散型電源の自立運転制御装置、パワーコンディショナ及び分散型電源の自立運転制御方法を提供することができるようになった。
【図面の簡単な説明】
【００２５】
【図１】分散型電源の自立運転制御装置が適用される分散型電源の回路ブロック構成図
【図２】系統電源と分電盤と分散型電源との接続関係の説明図
【図３】自立運転制御装置によって実行される負荷電流の推定処理の説明図
【図４】自立運転制御アルゴリズムの説明図
【図５】自立運転制御アルゴリズムの確認実験のパラメータ説明図
【図６】自立運転制御アルゴリズムの実験結果の説明図
【発明を実施するための形態】
【００２６】
以下、本発明による分散型電源の自立運転制御装置、当該自立運転制御装置に組み込まれるパワーコンディショナ及び分散型電源の自立運転制御方法を図面に基づいて説明する。
【００２７】
図１には、分散型電源の一例である太陽光発電装置１が示されている。太陽光発電装置１は太陽電池パネルＳＰと、太陽電池パネルＳＰが接続されたパワーコンディショナＰＣを備えて構成されている。太陽電池パネルＳＰで発電された直流電力は直流遮断器６及びサージアブソーバ７を介してパワーコンディショナＰＣに供給される。
【００２８】
パワーコンディショナＰＣは、太陽電池パネルＳＰで発電された直流電圧を所定の直流リンク電圧Ｖｄｃに昇圧するＤＣ／ＤＣコンバータ２と、昇圧された直流リンク電圧Ｖｄｃを所定の交流電圧に変換するインバータ３と、インバータ３から出力される交流電圧から高調波を除去するＬＣフィルタ４と、ＤＣ／ＤＣコンバータ２及びインバータ３を制御する制御装置５等を備えている。
【００２９】
パワーコンディショナＰＣで変換された交流電力はサージアブソーバ８及び系統リレーＲｙ１を介して系統電源１００と連系可能に構成され、系統電源１００から解列すると自立リレーＲｙ２を介して自立負荷２０に給電可能に接続されている。
【００３０】
パワーコンディショナＰＣの制御装置５は、ＤＣ／ＤＣコンバータ２の昇圧スイッチを制御するコンバータ制御部５ａと、インバータ３のブリッジを構成するスイッチを制御するインバータ制御部５ｂで構成され、それぞれマイクロコンピュータ及びメモリ素子や入出力素子等を含む周辺回路で構成されている。
【００３１】
コンバータ制御部５ａはＤＣ／ＤＣコンバータ２への入力電圧、入力電流、出力電圧をモニタして、太陽電池パネルＳＰを最大電力点で動作させるＭＰＰＴ制御等を実行しつつ、所定の出力電圧に昇圧制御する。
【００３２】
インバータ制御部５ｂは、系統連系時に系統電圧の位相に同期するようにインバータの出力電流を制御する電流制御ブロックと、解列時に自立系統に所定電圧の交流電力を給電する電圧制御ブロックと、系統連系時に単独運転状態か否かを検出する単独運転検出ブロック等の機能ブロックを備えている。電圧制御ブロックが本発明の自立運転制御装置として機能する。
【００３３】
図２には、系統電源１００と太陽光発電装置１との接続関係が示されている。三本の架空線Ｗ１，Ｗ２，Ｗ３で構成される高圧配電線によって６，６００Ｖの三相交流電力が送電され、需要家の近傍の配電柱に設置された柱上変圧器１０１に高圧配電線の内の１相分の２本の架空線Ｗ１，Ｗ３から電力が入力される。
【００３４】
柱上変圧器１０１で６，６００Ｖの電圧が２００Ｖの単相電圧に降圧され、２００Ｖの中間のタップが中性線として取り出され、片線と中性線との間で１００Ｖ、線間で２００Ｖの電圧が得られる。中性線は配電柱の近くで、中性線接地極と接続されて接地されている。
【００３５】
柱上変圧器１０１の出力が配電柱に架設された低圧配電線Ｌ１，Ｌ２，Ｌ３に出力され、低圧引き込み線Ｎ１，Ｎ２，Ｎ３を経由して需要家の構内の分電盤１０２に構成された主回路１０４に主幹漏電遮断器１０３等を介して接続されている。低圧引き込み線には買電用電力量計Ｗｈ１と売電用電力量計Ｗｈ２が接続されている。
【００３６】
主回路１０４にはブレーカＣＢを介して給電線１０５が接続され、各給電線１０５から構内負荷Ｌｏａｄ１に電力が供給されるように構成されている。太陽光発電装置１のパワーコンディショナＰＣの出力端子は系統リレーＲｙ１を介して主回路１０４に接続可能に構成されるとともに、自立リレーＲｙ２及びブレーカＣＢを介して自立系統の給電線１０６に接続された自立負荷Ｌｏａｄ２にも給電可能に構成されている。本実施形態では、ＡＣ１００Ｖ２相のパワーコンディショナＰＣを例に説明するが、本発明は単相３相のパワーコンディショナＰＣにも適用可能である。
【００３７】
インバータ制御部５ｂの電流制御ブロックは、系統連系時に系統リレーＲｙ１を閉成して系統電圧の位相に同期するようにインバータの出力電流を制御し、単独運転検出ブロックによって単独運転状態が検知されると、系統リレーＲｙ１を開成して系統から解列する。
【００３８】
インバータ制御部５ｂの電圧制御ブロックとして機能する自立運転制御装置は、単独運転検出ブロックによって単独運転状態が検知され、系統リレーＲｙ１が開成されると、自立リレーＲｙ２を閉成して自立系統に所定電圧の交流電力を給電する。
【００３９】
パワーコンディショナ２から自立系統に接続された負荷Ｌｏａｄ２への給電時に、負荷電流の変動に起因して出力電圧が１０１±６Ｖの範囲から逸脱すると、負荷Ｌｏａｄ２が安定的に動作することができなくなる。
【００４０】
そこで、自立運転制御装置は、負荷電流の変動に関わらず、安定した出力電圧が得られるようにインバータ３を制御する。以下に詳述する。
【００４１】
図３には、自立運転制御装置５０と、インバータ３及びＬＣフィルタ４の等価回路が示されている。図３に示す符号Ｖｄｃは直流リンク電圧、Ｃｄｃは直流リンク電圧用の電解コンデンサ、Ｓ１〜Ｓ４はインバータ３のスイッチング素子、ｅｉｎｖはインバータ３の出力電圧、ｉｉｎｖはインバータ３の出力電流、ＬｆとＣｆはＬＣフィルタ、ＲｆはインダクタＬｆの内部抵抗、Ｒｃは交流側のコンデンサＣｆの内部抵抗、ｅｓｄは自立運転時のＬＣフィルタ４の出力電圧、ｉｃは交流側のコンデンサＣｆに流れる電流、ｉＬｏａｄは負荷電流，ＲＬｏａｄは交流負荷、ｅＬｏａｄは負荷電圧を示す。コンデンサとしてフィルムコンデンサが好適に用いられるがフィルムコンデンサに限るものではない。
【００４２】
キルヒホッフの電圧則に基づいて〔数１〕が、またキルヒホッフの電流則に基づいて〔数２〕が導かれる。ここで，ｕｄは単相インバータ出力のＰＷＭのデューティである。
【数１】
0005938068.tif 000002
【数２】
0005938068.tif 000003
【００４３】
〔数２〕により電流を指令値で表すと〔数３〕が成り立つ。
【数３】
0005938068.tif 000004
また〔数２〕の負荷電流ｉＬｏａｄは〔数４〕から求める。ここで、ｉｃはＬＣフィルタ４を構成するコンデンサＣｆに流れる電流である。また、ｉｃは〔数５〕に示すように、コンデンサＣｆ、内部抵抗Ｒｃ及び自立運転の出力電圧ｅｓｄから推定できる。
【００４４】
【数４】
0005938068.tif 000005
【数５】
0005938068.tif 000006
また、〔数１〕を指令値で表すと〔数６〕になる。
【数６】
0005938068.tif 000007
【００４５】
つまり、負荷電流ｉＬｏａｄを検出するための電流センサを設けなくても、インバータ３の出力電流ｉｉｎｖと、ＬＣフィルタ４の出力電圧ｅｓｄを検出すれば、〔数５〕に基づいてそれらの値からコンデンサＣｆに流れる電流を推定することができ、その推定値に基づいて負荷電流ｉＬｏａｄが求まる。
【００４６】
自立運転制御装置５０は、上述した負荷電流ｉＬｏａｄの推定値に基づいて、自立運転時のインバータ３の出力電圧を制御するように構成されている。
【００４７】
図４には、自立運転制御装置５０により実行される電圧制御アルゴリズムのフローが示されている。自立運転制御装置５０は、インバータ３の出力電流ｉｉｎｖとＬＣフィルタ４の出力電圧ｅｓｄに基づいて自立系統に供給される負荷電流ｉＬｏａｄを推定する負荷電流推定部５１，５２を備え、出力電圧ｅｓｄと負荷電流ｉＬｏａｄに基づいてインバータ３から目標電圧ｅ＊ｓｄが出力されるようにフィードバック制御するように構成されている。
【００４８】
そして、自立運転制御装置５０は、出力電圧ｅｓｄを所定の目標電圧ｅ＊ｓｄに維持するようにフィードバック制御してインバータ３の目標電流ｉ＊ｉｎｖを設定する交流出力電圧制御部５３と、設定された目標電流ｉ＊ｉｎｖと出力電流ｉｉｎｖと負荷電流ｉＬｏａｄに基づいてインバータ３から目標電圧ｅ＊ｓｄが出力されるようにフィードバック制御してインバータのデューティｕ＊ｄを設定する交流出力電流制御部５４を備えている。
【００４９】
交流出力電流制御部５４で設定されたデューティｕ＊ｄがＰＷＭ制御部５５に入力され、インバータ３のスイッチング素子Ｓ１〜Ｓ４がＰＷＭ制御され、ＬＣフィルタ４を介して高調波ノイズが除去された交流電圧が出力される。
【００５０】
ここに、負荷電流推定部５１，５２は、既述したように、出力電流ｉｉｎｖと出力電圧ｅｓｄに基づいてＬＣフィルタ４のコンデンサＣｆに流れる分岐電流ｉｃを推定し、出力電流ｉｉｎｖから分岐電流ｉｃを減算することにより負荷電流ｉＬｏａｄを算出するように構成されている。
【００５１】
フィードバック制御としてＰＩＤ制御を好適に用いることができ、交流出力電圧制御部５３では、出力電圧ｅｓｄと目標電圧ｅ＊ｓｄとの差分（偏差）に比例ゲインＫｉｐを乗ずる一次関数として目標電流ｉ＊ｉｎｖを設定することができる。
【００５２】
また、交流出力電流制御部５４では、出力電流ｉｉｎｖと目標電流ｉ＊ｉｎｖとの差分（偏差）に比例ゲインＫｉｐを乗ずる一次関数としてデューティｕ＊ｄを設定することができ、この時に推定された負荷電流ｉＬｏａｄを外乱として取扱い、その大きさ位に応じて比例ゲインＫｉｐを可変に設定することにより、制御の応答性を向上させることができる。尚、上述の何れの場合もＰＩＤ制御は、比例制御のみならず微分制御や積分制御を組み合わせて構成することも可能である。
【００５３】
上述の自立運転制御装置５０によって、直流発電電力を交流電力に変換するインバータ３及びインバータ３の出力から高調波成分を除去するＬＣフィルタ４を備え、系統電源が所定電圧以下に低下すると自立系統に給電可能に構成されている分散型電源の自立運転制御方法が実行される。
【００５４】
当該自立運転制御方法は、インバータ３の出力電流ｉｉｎｖとＬＣフィルタ４の出力電圧ｅｓｄに基づいて自立系統に供給される負荷電流ｉＬｏａｄを推定し、出力電圧ｅｓｄと負荷電流ｉＬｏａｄに基づいてインバータから目標電圧ｅ＊ｓｄが出力されるようにフィードバック制御する方法である。
【００５５】
そして、出力電圧ｅｓｄを所定の目標電圧ｅ＊ｓｄに維持するようにインバータ３の目標電流ｉ＊ｉｎｖをフィードバック制御する電圧制御ステップと、出力電流ｉｉｎｖと出力電圧ｅｓｄに基づいて自立系統に供給される負荷電流ｉＬｏａｄを推定する負荷電流推定ステップと、目標電流ｉ＊ｉｎｖと出力電流ｉｉｎｖと負荷電流ｉＬｏａｄに基づいてインバータ３から目標電圧ｅ＊ｓｄが出力されるようにインバータ３のデューティ比ｕ＊ｄをフィードバック制御する電流制御ステップを備えている。
【００５６】
また、負荷電流推定ステップは、インバータ３の出力電流ｉｉｎｖとＬＣフィルタ４の出力電圧ｅｓｄに基づいてＬＣフィルタ４のコンデンサに流れる電流ｉｃを推定し、インバータ３の出力電流ｉｉｎｖから推定した電流ｉｃを減算することにより負荷電流ｉＬｏａｄを算出するステップである。
【００５７】
つまり、本発明によれば、負荷電流を測定するための別途の電流センサや、突入電流を抑制するための別途の回路を組み込む必要が無く、シンプルな構成を実現でき、さらには複雑な制御アルゴリズム等を組込む必要もなくなる。
【００５８】
また、推定した負荷電流を外乱として制御に反映することにより、負荷急変時の出力電圧の安定化を向上することができ、推定負荷電流のフィードバックにより速い応答特性を得ることができるようになった。
【００５９】
図６（ａ），（ｂ）には、上述の自立運転制御方法を採用しない場合と、採用した場合の出力電圧の制御特性を評価する実験の結果が示されている。図５には、当該実験時の回路パラメータの設定値が示されている。
【００６０】
図６（ａ）は推定負荷電流を用いない場合の実験結果であり、図６（ｂ）は推定負荷電流を用いた場合の実験結果である。推定負荷電流を制御に用いない場合には、自立リレーが閉成してから約２８０ｍｓ．で定常状態になっているのに対して、推定負荷電流を用いた場合には、約２０ｍｓ．で定常状態になっていることが明らかになった。つまり、推定負荷電流を制御に組み込むことによって、安定した電圧制御が可能になることが明らかになった。
【００６１】
図６（ｃ）には、上述の自立運転制御方法を採用した場合の過渡応答特性、つまり自立リレーが閉成すると同時に出力６００Ｗの掃除機を駆動した時の負荷電圧特性が示されている。図６（ｃ）から明らかなように、負荷電流が急激に流れる状態でも、負荷電圧ｅＬｏａｄは安定的に制御可能なことが確認された。
【００６２】
上述した実施形態では、自立リレーＲｙ２を介して自立系統の給電線１０６に接続された自立負荷Ｌｏａｄ２に給電する場合の自立運転制御装置及び方法について説明したが、図２に示すように、系統電源と解列した後、つまり低圧引き込み線Ｎ１，Ｎ２，Ｎ３と構内の分電盤１０２に構成された主回路１０４を主幹漏電遮断器１０３等によって遮断した後に、系統リレーＲｙ１及び給電線１０５を介して構内負荷Ｌｏａｄ１に給電する場合にも、本発明による自立運転制御装置及び方法を適用して構内負荷Ｌｏａｄ１に給電することも可能である。
【００６３】
以上説明した実施形態は、本発明による分散型電源の自立運転制御装置、パワーコンディショナ及び分散型電源の自立運転制御方法の一例に過ぎず、該記載により本発明の技術的範囲が限定されるものではなく、本発明の作用効果が奏される限り、具体的な制御アルゴリズムは適宜変更設計可能なことは言うまでもない。
【符号の説明】
【００６４】
１：分散型電源
２：ＤＣ／ＤＣコンバータ
３：インバータ
４：ＬＣフィルタ
５０：自立運転制御装置
５１，５２：負荷電流推定部
５３：交流出力電圧制御部
５４：交流出力電流制御部
１００：系統電源
ＰＣ：パワーコンディショナ
ＳＰ：太陽電池パネル
Ｓ１，Ｓ２，Ｓ３，Ｓ４：インバータブリッジに備えたスイッチ素子
【図１】
0005938068.tif 000008
【図２】
0005938068.tif 000009
【図３】
0005938068.tif 000010
【図４】
0005938068.tif 000011
【図５】
0005938068.tif 000012
【図６】
0005938068.tif 000013